(57)【要約】【課題】  簡単に衣類の形状を復元することができ、置き場所も小さくて済む衣類形状復元袋を提供する。【解決手段】  衣類の立体形状と同じ形状を備え、膨縮自在に形成された中空で袋状の本体部と、該本体部を膨らませるための圧縮された空気を供給する送風機との接続部と、を有する。本発明の衣類形状復元袋によれば、萎んだ状態の衣類形状復元袋に衣服を着せ、送風機から圧縮空気を入れて膨らませる。衣類形状復元袋が着せられた衣類の大きさに膨らんだら、送風機を停止するか、衣類形状復元袋から漏れるのを補充する程度に送風量を低下させる。上からアイロンを当て、皺を伸ばせすか、アイロンを掛ける代わりに、送風機でスチームと温風を送風し、衣類形状復元袋から外の衣服にスチームと温風を送ることで、アイロンを掛けたように皺を伸ばすことができる。【選択図】      図１
2010279523.tif 000002
【特許請求の範囲】
【請求項１】
衣類の立体形状と同じ形状を備え、膨縮自在に形成された中空で袋状の本体部と、該本体部を膨らませるための圧縮された空気を供給する送風機との接続部と、を有することを特徴とする衣類形状復元袋。
【請求項２】
前記本体部が、送風機からの送風の一部を外部に漏出可能な素材からなることを特徴とする請求項１に記載の衣類形状復元袋。
【請求項３】
前記本体部が、送風機からの送風を外部に漏出しない素材からなることを特徴とする請求項１に記載の衣類形状復元袋。
【発明の詳細な説明】
【技術分野】
【０００１】
本発明は、洗濯した衣類の形状を復元することができる袋体に関する。
【背景技術】
【０００２】
一般に、洗濯した衣類の形状を復元する方法としては、アイロン台の上でアイロン掛けをすることが行われている。このとき、衣類は半乾き状態のものか、乾いた衣類に濡れた手ぬぐいを被せ、適当な湿り気を与えることで、皺が伸ばされ、復元状態に成形されることになる。
【０００３】
しかし、この作業は、熟練を要し、余程慣れないと、アイロン掛け作業を上手に行うことはできない。
【０００４】
このようなことから、特許文献１（特開平７−３０３７９８）では、人体胸部形状に形成された金属材料からなるアイロン台を提案している。このアイロン台に衣類を着せることで、衣類にアイロンを掛けてその形状を復元することができる。
【０００５】
この立体形状のアイロン台は多数の空気孔を有し、これらの空気孔からエアーを吸い込み、あるいは吹き出すことで、衣類を変形することなくアイロン台に密着させ、成形できるようになっている。
【先行技術文献】
【特許文献】
【０００６】
【特許文献１】特開平７−３０３７９８号
【発明の概要】
【発明が解決しようとする課題】
【０００７】
しかしながら、上記特許文献１に記載のものは、人体胸部形状のアイロン台は、その大きさが固定されており、取り扱う衣類の大きさと一致しない場合も多い。そのため、多くのサイズのアイロン台を用意しなければならない。そのため、一般家庭には不向きで、業者にとっても、費用の負担が重く、かつ、置き場所の確保も負担となっていた。
【０００８】
本発明は、斯かる実情に鑑み、簡単に衣類の形状を復元することができ、置き場所も小さくて済む衣類形状復元袋を提供することを目的としている。
【課題を解決するための手段】
【０００９】
本発明の衣類形状復元袋は、衣類の立体形状と同じ形状を備え、膨縮自在に形成された中空で袋状の本体部と、該本体部を膨らませるための圧縮された空気を供給する送風機との接続部と、を有することを特徴としている。
【００１０】
前記本体部が、送風機からの送風の一部を外部に漏出可能な素材からなる構成としたり、逆に、前記本体部が、送風機からの送風を外部に漏出しない素材からなる構成としたりすることができる。
【発明の効果】
【００１１】
本発明の衣類形状復元袋によれば、萎んだ状態の衣類形状復元袋に衣服を着せ、送風機から圧縮空気を入れて膨らませる。衣類形状復元袋が着せられた衣類の大きさに膨らんだら、送風機を停止するか、衣類形状復元袋から漏れるのを補充する程度に送風量を低下させる。
【００１２】
この状態で衣服はその形状を復元した状態になっているので、上からアイロンを当て、皺を伸ばせば衣服の形状の復元状態を保持して完了となる。アイロンをかける代わりに、送風機で風を送風したり、スチーム付きの温風を送風することで、衣類形状復元袋から外の衣服にスチームや風を送り、アイロンを掛けたように皺を伸ばすことができる。
【００１３】
本発明では、衣類を立体的に保持するので、アイロン掛けが簡単にできるようになる。あるいは、衣服に風やスチーム付き温風を送ることで、アイロンを掛けたように皺を伸ばすことができる。また、衣服のサイズの相違があっても、衣類形状復元袋が衣服の大きさまで膨らむとそれ以上の膨らみを防止されるので、サイズの相違に対応することができる。という格別の効果を奏する。
【図面の簡単な説明】
【００１４】
【図１】本発明の実施例１を示す図で、衣類形状復元袋に圧縮空気を入れて膨らませた状態を示す図である。
【図２】空気を抜いて衣類形状復元袋を萎ませた状態を示す図である。
【図３】本発明の実施例２を示す図で、衣類形状復元袋に圧縮空気を入れて膨らませた状態を示す図である。
【発明を実施するための形態】
【００１５】
以下、本発明の実施の形態を添付図面を参照して説明する。
【実施例１】
【００１６】
図１は、本発明の実施例１を示す図で、衣類形状復元袋に圧縮空気を入れて膨らませた状態、図２は空気を抜いて衣類形状復元袋を萎ませた状態である。
【００１７】
同図に示す本発明の衣類形状復元袋１０は、女性用の衣服としてワンピースの形状を復元するものである。この衣類形状復元袋１０は、ナイロン、テトロンなどの各種合成繊維又は、木綿、麻などの天然繊維などの織布あるいは不織布から形成されている。織布や不織布は、殆ど伸縮しないので適している。編物を使用する場合は、伸縮しないものであればよい。なお、裏側にゴムを引いた構造にし、ゴムの伸縮に合わせて大きさを変化できるようにしてもよい。
【００１８】
そして、首の部分１０ａ、及び左右の袖口の部分１０ｂ、１０ｂおよびスカートの下端面１０ｃは、適当な素材によって封止されている。これらの素材としては、たとえば、衣類形状復元袋１０の本体部分を形成している布と同じ素材の布でもよく、異なる素材の布やその他の素材を使用することができる。スカートの下端面１０ｃは、中央に送風機１１と接続する接続口１０ｅ以外は、スカートの下端面を封止している。また、ワンピース型衣服のウェストには、ベルト１０ｄがあり、長さを調整できるようになっている。接続口１０ｅには、必要に応じて逆止弁を設けてもよい。
【００１９】
本発明の衣類形状復元袋１０は、内部に４本の太い針金で形成された支持柱１２を有する。支持柱１２は、下端近くと上方とに同じ針金で形成された環状の連結材１２ａを有し、上方には、衣類形状復元袋１０の肩部を支持する張出材１２ｂを有する。支持柱１２の下端は接続口１０ｅに達しており、送風機１１の接続部を挟み込めるようになっている。送風機１１の接続部を４本の針金からなる支持柱１２で挟み、上から紐等で縛ることによって、衣類形状復元袋１０を送風機１１に固定することができる。また、スカートの下端面１０ｃに適度な剛性を持たせることで、この下端面１０ｃと支持柱１２又は送風機１１とが係合することで、アイロン掛けの際揺れを防止することができる。
【００２０】
さらに、衣類形状復元袋１０は、垂直な状態で使用することに限定されるものではない。床等の上に寝かせた状態で使用することもでき、その場合は、支持柱１２がなくてもよいことになる。
【００２１】
次に、上記した実施例１の使用方法を説明する。
図２に示す萎んだ状態の衣類形状復元袋１０に、アイロン掛けをする衣服（たとえば、ワンピース）を着せる。そして、送風機１１を接続口１０ｅに接続し、圧力の加わった空気を衣類形状復元袋１０に送り込む。
【００２２】
衣類形状復元袋１０は図１に示す状態へと徐々に膨らみ初める。そして、衣類形状復元袋１０が、着せられた衣服と同じ大きさになると、それ以上大きくなることはできなくなる。
【００２３】
衣類形状復元袋１０に送り込まれた空気は圧縮されており、衣類形状復元袋１０は織布で出来ているので、織り目や繊維の隙間等から少しずつ空気が漏れ出る。そこで、衣類形状復元袋１０が衣服と同じ大きさになったら、衣類形状復元袋１０から外に漏れる空気量と同じ量を送風機１１から送風するように、送風量を低下する。衣類形状復元袋１０は衣服の大きさを保持している。逆止弁を使用すると、送風機の負担を減らすことができる。
【００２４】
この状態になったら、衣服の上からアイロンを当て、皺を伸ばし、衣服の形状を復元する。衣服は、衣類形状復元袋１０により元の形状に保たれているので、アイロンを当てることで、簡単に皺が伸ばされた状態にすることができる。このようにすれば、家庭の主婦がアイロン掛けをしても、プロに負けない出来映えになる。
【００２５】
衣服を必要に応じて半乾きの状態に湿らせておいたり、衣服の上から濡れた布を当ててアイロン掛けをしたり、スチームアイロンを使用したりなどすることが望ましい。衣類が化繊でも、羊毛でも、絹でもそれぞれに応じたアイロンがけをすることができる。
【００２６】
別の方法として、送風機１１からスチームの入った高温の空気を送り込む方法もある。スチームの入った高温の空気は、衣類形状復元袋１０から外に少しずつ漏れだし、衣類形状復元袋１０の外に着せられている衣服に熱と適度の湿り気を与え、皺を伸ばし、形状を復元することができる。この場合は、アイロン掛けは不要となる。このような方法としては布団乾燥機を使用することができる。
【００２７】
以上の説明において、衣類形状復元袋１０は織布製又は不織布製としたが、織布や不織布あるいは編物の一面をゴム引きなどとし、空気が漏れない構成にすることもできる。その場合、衣類形状復元袋１０の内部から外部への空気の漏れだしは無くなるので、衣類形状復元袋１０が衣服の大きさに膨らんだ後は、送風機１１を停止できることになる。この場合も、逆止弁を設けておくことが望ましい。接続口１０ｅからの空気の漏れを防止できるからである。
【００２８】
衣服はどれも同じ大きさではなく、大きいものから小さいものまで複数の種類がある。本発明の衣類形状復元袋１０は、織布や不織布の場合は、大きい衣服のサイズに合わせて作成している。そして、小さいサイズの衣服が着せられた場合は、衣類形状復元袋１０が途中まで膨らむと、着ている衣服の大きさがブレーキとなり、それ以上大きく膨らむことができない。編物の場合やゴム引きの場合は、逆に小さいサイズの衣服とし、大きいサイズは膨らませることで対応できるようにする。
【００２９】
作業者は、衣服の膨らみ具合を見れば、復元された大きさに達したかどうかを簡単に判断できるので、その状態になったら、送風機１１の風量を低下させるか、停止させればよい。
【００３０】
また、図１に示す衣類形状復元袋１０には、ベルト１０ｄがあるので、この長さを加減することによっても、衣類形状復元袋１０の膨らむ大きさを調整し、衣服のサイズの違いに対応することができる。さらに、衣類形状復元袋１０の胸囲や腰回り、腕回りなどの寸法を調整可能にすることで、サイズの違いに対応させることもできる。寸法の調整方法としては、複数のボタンやホック等を設け、止める位置で調整する方法等、多様な方法が考えられる。
【実施例２】
【００３１】
図３は、本発明の実施例２を示す図で、衣類形状復元袋に圧縮空気を入れて膨らませた状態を示す図である。ここに示す衣類形状復元袋２０は、上着用のものである。製造方法は図１に示す第１の実施例のものと同じである。首の部分２０ａ、及び左右の袖口の部分２０ｂ、２０ｂは、衣類形状復元袋２０の本体部分を形成している布と同じ布によって封止されている。スカートの下端面２０ｃは、中央に送風機１１と接続する接続口２０ｅ以外は、スカートの下端面を封止している。このように上着だけの衣類形状復元袋２０とすることもできる。同様に、ズボンだけの衣類形状復元袋を作成することも可能である。
【００３２】
図１に示す衣服用の衣類形状復元袋１０では、全体を使用すればワンピース用となるが、上半分を上着用として使用し、下半分をスカート用として使用することもできる。また、接続口２０ｅには、必要に応じて逆止弁を設けることができる。
【００３３】
以上に説明したように、本発明の衣類形状復元袋によれば、１つの衣類形状復元袋で、複数サイズの衣類に使用することができる。また、衣服用の衣類形状復元袋であれば、上着用とスカート用に使用することもできる。したがって、少数の衣類形状復元袋を用意しておけばよく、一般家庭用でも使用することができる。
【００３４】
また、衣類にアイロン掛けをするようにしてもよいし、送風機等から熱風を送り込み、衣類形状復元袋から熱風が漏れ出るようにすることで、アイロン掛けをしなくても衣類の形状を復元することができる。
【産業上の利用可能性】
【００３５】
本発明の衣類形状復元袋は、クリーニング店などの業者でも、一般家庭用としても利用することができる。
【符号の説明】
【００３６】
１０      衣類形状復元袋
１０ａ    首の部分
１０ｂ    袖口の部分
１０ｃ    下端面
１０ｄ    ベルト
１０ｅ    接続口
１１      送風機
１２      支持柱
２０      衣類形状復元袋
２０ａ    首の部分
２０ｂ    袖口の部分
２０ｃ    下端面
２０ｅ    接続口
【図１】
2010279523.tif 000003
【図２】
2010279523.tif 000004
【図３】
2010279523.tif 000005